(57)【要約】【課題】ＧＰＲＳ／ＧＥＲＡＮからＬＴＥ  ＥＵＴＲＡＮへのハンドオフをサポートすること。【解決手段】ＧＰＲＳ（汎用パケット無線サービス）、ＧＥＲＡＮ（グローバルシステムフォーモバイルコミュニケーション無線アクセスネットワーク）、およびＬＴＥ（ロングタームエボリューション）ＥＵＴＲＡＮ（発展型ユニバーサル陸上無線アクセスネットワーク）からのＨＯ（ハンドオフ）をサポートする方法および装置は、ＬＴＥ測定報告を受信するステップを含む。ＬＴＥネットワークへのＨＯが開始され、リロケーション要求信号が伝送される。ｅＮＢ（発展型ノードＢ）ＩＤ（識別子）を含むリロケーション命令信号が受信される。【選択図】図５
2014161108.tif 000002
【特許請求の範囲】
【請求項１】
ロングタームエボリューション（ＬＴＥ）モビリティ管理エンティティ(ＭＭＥ）から、ＧＳＭ  ＥＤＧＥ無線アクセスネットワーク（ＧＥＲＡＮ）技術からＬＴＥ技術にハンドオーバされる無線送受信ユニット（ＷＴＲＵ）の識別子を含むハンドオーバ要求メッセージを受信するように構成される受信機と、
前記ハンドオーバ要求メッセージに基づいて、前記無線送受信ユニット（ＷＴＲＵ）のための無線リソースを確立するように構成されるプロセッサと、
ハンドオーバ要求確認応答メッセージを前記モビリティ管理エンティティ(ＭＭＥ)に伝送するように構成された送信機と、
を有する発展型ノードＢ（ｅＮＢ）であって、
前記プロセッサは、前記発展型ノードＢ（ｅＮＢ）と、前記無線送受信ユニット（ＷＴＲＵ）を供するＧＥＲＡＮ基地局コントローラ(ＢＳＣ）との間にトンネルを確立するようにさらに構成され、
前記受信機は、前記トンネルを介して前記ＧＥＲＡＮ基地局コントローラ(ＢＳＣ）からユーザデータを受信するようにさらに構成され、
前記ハンドオーバ要求メッセージは、セル識別子（ＩＤ）と、ＭＭＥ  ＩＤと、トンネリング  エンドポイント  ＩＤ（ＴＥＩＤ）とを含むことを特徴とする発展型ノードＢ（ｅＮＢ）。
【請求項２】
前記プロセッサは、アタッチ信号を前記無線送受信ユニット（ＷＴＲＵ）から受信するようにさらに構成され、
前記受信機は、ハンドオーバ完了メッセージを前記無線送受信ユニット（ＷＴＲＵ）から受信するようにさらに構成されることを特徴とする、
請求項１記載の発展型ノードＢ（ｅＮＢ）。
【請求項３】
前記送信機は、前記ハンドオーバ完了メッセージを前記モビリティ管理エンティティ(ＭＭＥ)に伝えるようにさらに構成され、
前記プロセッサは、前記ハンドオーバ完了メッセージに応答して前記トンネルを終了させるようにさらに構成されることを特徴とする、
請求項２記載の発展型ノードＢ（ｅＮＢ）。
【発明の詳細な説明】
【技術分野】
【０００１】
本出願は無線通信に関する。
【背景技術】
【０００２】
様々なタイプの無線通信システムがある。例えば、一部の無線通信システムには、汎用パケット無線サービス（ＧＰＲＳ）、グローバルシステムフォーモバイルコミュニケーション無線アクセスネットワーク(ＧＥＲＡＮ）、およびロングタームエボリューション（ＬＴＥ：ｌｏｎｇ  ｔｅｒｍ  ｅｖｏｌｕｔｉｏｎ）発展型ユニバーサル陸上無線アクセスネットワーク（ＥＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）が含まれる。
【発明の概要】
【発明が解決しようとする課題】
【０００３】
モバイルユニットが移動しているとき、そのモバイルユニットはあるネットワークから別のネットワークにハンドオフされなければならないことがある。全てのネットワークが同一とは限らないので、このシステム間ハンドオフをサポートする方法が有益であろう。
【課題を解決するための手段】
【０００４】
ＧＰＲＳ／ＧＥＲＡＮから、ＬＴＥ／ＥＵＴＲＡＮへのハンドオフをサポートする方法および装置を開示する。この方法は、ＬＴＥ測定報告を受信するステップを含む。そのＬＴＥネットワークへのＨＯが開始され、リロケーション要求信号が伝送される。発展型ノードＢ（ｅＮＢ）ＩＤ（識別子）を含むリロケーション命令信号が受信される。
【０００５】
より詳細な理解は、例として添付の図面と併せて示す以下の説明から得ることができる。
【図面の簡単な説明】
【０００６】
【図１】ＬＴＥシステムアーキテクチャの全体的なネットワークアーキテクチャの一例を示す図である。
【図２】ＧＥＲＡＮシステムからＬＴＥシステムへの第１段階のハンドオフ手順の一例を示す図である。
【図３】ＧＥＲＡＮシステムからＬＴＥシステムへの第２段階のハンドオフ手順の一例を示す図である。
【図４】ＧＰＲＳ／ＧＥＲＡＮシステムからＬＴＥシステムへの第３段階のハンドオフ手順の一例を示す図である。
【図５】無線送受信ユニットおよび基地局の機能ブロック図である。
【図６Ａ】ハンドオフ手順の信号図の一例を示す図である。
【図６Ｂ】ハンドオフ手順の信号図の一例を示す図である。
【図６Ｃ】ハンドオフ手順の信号図の一例を示す図である。
【図７Ａ】代替ハンドオフ手順の信号図の一例を示す図である。
【図７Ｂ】代替ハンドオフ手順の信号図の一例を示す図である。
【図７Ｃ】代替ハンドオフ手順の信号図の一例を示す図である。
【発明を実施するための形態】
【０００７】
以後言及する際、「無線送受信ユニット（ＷＴＲＵ）」という用語は、ユーザ機器（ＵＥ）、移動局、固定またはモバイル加入者ユニット、ページャ、携帯電話、ＰＤＡ（携帯情報端末）、コンピュータ、または無線環境で動作可能な他の任意のタイプのユーザ装置を含むが、これだけに限定されることはない。以後言及する際、「基地局」という用語は、ノードＢ、サイトコントローラ、基地局コントローラ、ＡＰ（アクセスポイント）、または無線環境で動作可能な他の任意のタイプのインタフェース接続装置を含むが、これだけに限定されることはない。
【０００８】
図１は、ＬＴＥシステムアーキテクチャの全体的なネットワークアーキテクチャ１００の一例を示す。ＬＴＥシステム１００は、ＬＴＥシステムアーキテクチャと、既存のＧＥＲＡＮ、ＵＴＲＡＮベースのＧＰＲＳコアとの間の網間接続を示す。このＬＴＥシステムは、モビリティ管理エンティティ（ＭＭＥ：ｍｏｂｉｌｉｔｙ  ｍａｎａｇｅｍｅｎｔ  ｅｎｔｉｔｙ／ユーザプレーンエンティティ（ＵＰＥ：ｕｓｅｒ  ｐｌａｎｅ  ｅｎｔｉｔｙ）とＡＳ間アンカ（ｉｎｔｅｒ  ＡＳ  ａｎｃｈｏｒ）とを含む発展型パケットコアに接続される発展型無線アクセスネットワーク（ＲＡＮ）（Ｅ−Ｎｏｄｅ  Ｂ）を含む。発展型パケットコアは、ＨＳＳ、ＰＣＲＦ、ＨＳＳ、オペレータＩＰサーバ（例えばＩＭＳ、ＰＳＳ等）、非３ＧＰＰ  ＩＰアクセスネットワーク、および無線ＬＡＮ（ＷＬＡＮ）３ＧＰＰ  ＩＰアクセスブロックに接続する。ＬＴＥシステム１００には、オペレーションＩＰサーバ（例えばＩＭＳ、ＰＳＳ等）も含まれる。ＧＰＲＳコアは、モビリティ管理、アクセス手順、およびユーザプレーン制御を担うサービングＧＰＲＳサポートノード（ＳＧＳＮ：Ｓｅｒｖｉｎｇ  ＧＰＲＳ  Ｓｕｐｐｏｒｔ  Ｎｏｄｅ）を含む。このＧＰＲＳコアは、ネットワークが外部ネットワークおよび他のオペレータサーバに接続される場所であるゲートウェイＧＰＲＳサポートノード（ＧＧＳＮ：Ｇａｔｅｗａｙ  ＧＰＲＳ  Ｓｕｐｐｏｒｔ  Ｎｏｄｅ）も含む。オペレータＩＰサービスは、ボイスオーバアイピー（ＶｏＩＰ）および他のマルチメディアサービスが制御される場所であるＩＰマルチメディアサービスサブシステム（ＩＭＳ）を含む。非３ＧＰＰ  ＩＰアクセスは、３ＧＰＰ２（ＣＤＭＡ２０００）やＷｉＭＡＸ（例えばＩＥＥＥ  ８０２．１６システム）などの他の技術への接続を含む。この発展型コアは、３ＧＰＰに規定される網間接続アーキテクチャにより３ＧＰＰシステムに組み込まれるＷＬＡＮネットワークにも接続する。
【０００９】
図２は、ＷＴＲＵがＧＥＲＡＮシステム内のカバレッジから、ＬＴＥシステム内のカバレッジに移行している第１段階のハンドオフ手順２００の一例を示す。図２に示すように、ＷＴＲＵ（図の下部に示す楕円で表す）が、あるシステムから別のシステムにハンドオーバされている。そのＷＴＲＵは現在、サービングＧＰＲＳサポートノード（ＳＧＳＮ）および移動先基地局コントローラ(ＢＳＣ）を介して、ゲートウェイＧＰＲＳサポートノード（ＧＧＳＮ）に接続されている。
【００１０】
ＧＥＲＡＮシステムに属するセルは、ＬＴＥベースのセルに属するロケーションエリア／ルーティングエリア（ＬＡ２／ＲＡ２）とは別のロケーションエリア／ルーティングエリア（ＬＡ１／ＲＡ１）を含むことができる。特定の展開形態では、ＧＥＲＡＮセルがＬＴＥセルと同じ場所を共用し得るが、これらのセルは、この２つのシステムアーキテクチャ間の違いのために別々のＬＡ／ＲＡ構成のままとすることができる。
【００１１】
図３は、ＧＥＲＡＮシステムからＬＴＥシステムへの第２段階のハンドオフ手順３００の一例を示し、この段階はオプションとして利用することができる。ＷＴＲＵが、あるシステムから別のシステムにハンドオフされるときに、移動先ＢＳＣと発展型ノードＢとの間にトンネルを作成することができる。このトンネルは、発展型コアネットワークを経由する新しい接続が確立されている間に、ＧＥＲＡＮシステムとＷＴＲＵとの間で現在待ち状態にあるデータ伝送をｅＮｏｄｅ−Ｂを介して一時的に転送する。これは、移行中にデータが失われないことを保証するであろう。オペレータは、このステップを実施せず、ＧＥＲＡＮ  ＢＳＣとｅＮｏｄｅ−Ｂとの間に接続が確立されない完全移行事例に進むことを選択することができる。データの転送は、２つのコアネットワーク間の上位レイヤで行われ得る。
【００１２】
図４は、ＧＰＲＳ／ＧＥＲＡＮシステムからＬＴＥシステムへの第３段階のハンドオフ手順４００の一例を示す。図４に示すように、ＷＴＲＵが、今では新ＭＭＥおよび移動先Ｅ−Ｎｏｄｅ  Ｂを介してアクセスゲートウェイ（ＡＧＷ）に接続されている。
【００１３】
図５は、ＷＴＲＵ５１０および基地局５２０の機能ブロック図である。図５に示すように、ＷＴＲＵ５１０は基地局５２０と通信し、その両方がＧＰＲＳ／ＧＥＲＡＮからＬＴＥ  ＥＵＴＲＡＮへのハンドオフをサポートするように構成される。
【００１４】
典型的なＷＴＲＵ内で見つけることができる構成要素に加えて、ＷＴＲＵ５１０は、プロセッサ５１５、受信機５１６、送信機５１７、およびアンテナ５１８を含む。プロセッサ５１５は、ＧＰＲＳ／ＧＥＲＡＮからＬＴＥ  ＥＵＴＲＡＮへのハンドオフをサポートするように構成される。受信機５１６および送信機５１７は、プロセッサ５１５と通信する。アンテナ５１８は、無線データの送受信を助けるために受信機５１６および送信機５１７の両方と通信する。プロセッサ５１５、受信機５１６、送信機５１７、およびアンテナ５１８はＧＰＲＳ／ＧＥＲＡＮ無線トランシーバとして構成するか、またはＬＴＥ  ＥＵＴＲＡＮ無線トランシーバとして構成することができる。さらに、プロセッサ、受信機、送信機、およびアンテナが１つだけ示されているが、ＷＴＲＵ５１０には複数のプロセッサ、受信機、送信機、およびアンテナが含まれ、それにより様々なプロセッサ、受信機、送信機、およびアンテナの集まりが様々なモード（例えばＧＰＲＳ／ＧＥＲＡＮトランシーバやＬＴＥ  ＥＵＴＲＡＮトランシーバ）で動作できることに留意されたい。
【００１５】
典型的な基地局内で見つけることができる構成要素に加えて、基地局５２０は、プロセッサ５２５、受信機５２６、送信機５２７、およびアンテナ５２８を含む。プロセッサ５２５は、ＧＰＲＳ／ＧＥＲＡＮからＬＴＥ  ＥＵＴＲＡＮへのハンドオフをサポートするように構成される。受信機５２６および送信機５２７は、プロセッサ５２５と通信する。アンテナ５２８は、無線データの送受信を助けるために受信機５２６および送信機５２７の両方と通信する。
【００１６】
ＷＴＲＵ５１０および基地局５２０は、他のネットワーク装置と通信してよいことに留意されたい。
【００１７】
図６Ａないし６Ｃは、ハンドオフ手順６００の信号図の一例を示す。図６Ａないし６Ｃの信号図には、デュアルモードＷＴＲＵ（ＬＴＥ／ＧＥＲＡＮ）５１０、Ｔ−ＥＮＢ（移動先ｅ−Ｎｏｄｅ  Ｂ）５２０、Ｓ−ＢＳＣ（サービングＢＳＣ）５３０、ＬＴＥ−ＭＭＥ５４０、サービング２Ｇ（第２世代）ＳＧＳＮ５５０、およびＬＴＥ  ＵＰＥ／ゲートウェイ／ＧＧＳＮ５６０が示されている。ＷＴＲＵ５１０は、ＬＴＥおよびＧＥＲＡＮトランシーバを含む。
【００１８】
図６Ａないし６Ｃに示すように、ユーザダウンリンク（ＤＬ）／アップリンク（ＵＬ）トラフィックが、各エンティティとデュアルモードＷＴＲＵ５１０のＧＥＲＡＮモードとの間に生じている。ステップ６０１で、ＷＴＲＵ５１０において測定が行われる。一例では、この測定は、ＷＴＲＵ５１０内のＧＥＲＡＮトランシーバによりＬＴＥネットワークに対して行われる。次いで、ＷＴＲＵ５１０が、測定報告（ＬＴＥ）信号（６０２）を、Ｓ−ＢＳＣ５３０に伝送する。ＬＴＥを移動先としている状態で、システム間ＨＯが開始される（ステップ６０３）。移動元セルＩＤおよび移動先セルＩＤを含むリロケーション要求信号６０４が、Ｓ−ＢＳＣ５３０からサービング２Ｇ  ＳＧＳＮ５５０に伝送される。このサービング２Ｇ  ＳＧＳＮ５５０が、移動先システムＩＤおよびＭＭＥ  ＩＤを特定し（ステップ６０５）、リロケーション要求をＬＴＥ−ＭＭＥ５４０に転送する。
【００１９】
ＬＴＥ−ＭＭＥ５４０が、移動先ｅ−Ｎｏｄｅ  Ｂ  ＩＤを特定し、ユーザプロファイルおよびコンテキストを、それが信号メッセージ６０６に含まれていなかった場合に要求する（ステップ６０７）。ＬＴＥ−ＭＭＥ５４０が、セルＩＤ、ＭＭＥ  ＩＤ、ＧＧＳＮ  ＴＥＩＤ、および国際移動加入者識別番号／一時的移動加入者識別番号（ＩＭＳＩ／ＴＭＳＩ）を含むハンドオフ要求信号（６０８）をＴ−ＥＮＢ５２０に送信する。Ｔ−ＥＮＢ５２０が、チャネルの可用性を判定し、無線アクセスベアラ（ＲＡＢ）確立を開始する（ステップ６０９）。Ｔ−ＥＮＢ５２０が、（ＩＭＳＩ／ＴＭＳＩを含む）ハンドオフ要求ＡＣＫ信号（６１０）をＬＴＥ−ＭＭＥ５４０に伝送し、このＬＴＥ−ＭＭＥ５４０が、ＩＭＳＩおよびＴ−Ｅ  Ｎｏｄｅ  Ｂ  ＩＤを含むリロケーション応答信号６１１をサービング２Ｇ  ＳＧＳＮ５５０に伝送する。次いで、ＬＴＥ−ＭＭＥ５４０が、パケットデータプロトコル（ＰＤＰ）コンテキスト情報の活性化に備えるためにＭＭ状態およびＳＭ状態を作り出す（ステップ６１２）。
【００２０】
サービング２Ｇ  ＳＧＳＮ５５０が、ＴＭＳＩおよびＥ−Ｎｏｄｅ  Ｂ  ＩＤを含むリロケーション命令信号（６１３）をＳ−ＢＳＣ５３０に伝送し、そのＳ−ＢＳＣ５３０が、データを転送するためのＥ−Ｎｏｄｅ  Ｂへの一時トンネルを確立する（ステップ６１４）。次いで、ユーザデータがＴ−ＥＮＢ５２０とＳ−ＢＳＣ５３０との間で転送され、ＨＯ命令６１５がＴ−ＥＮＢ５２０からＷＴＲＵ５１０のＧＥＲＡＮトランシーバに伝送され、このＷＴＲＵ  ＧＥＲＡＮトランシーバが、移動先チャネルＩＤを含む開始／同期無線信号（６１６）をＬＴＥトランシーバに伝送する。Ｔ−ＥＮＢ５２０が、リロケーション検出信号（６１７）をＬＴＥ−ＭＭＥ５４０に送信し、ＬＴＥトランシーバが、開始／同期無線信号をＡＣＫする（６１８）。
【００２１】
ＨＯ完了信号（６１９）が、ＧＥＲＡＮトランシーバからＳ−ＢＳＣに送信される。ＲＡＮ情報およびＲＡＢ確立が、ＬＴＥトランシーバとＴ−ＥＮＢ５２０との間で行われ（６２０）、ユーザＤＬ／ＵＬトラフィックが流れる。ＰＳアタッチ信号（６２１）が、ＬＴＥトランシーバからＴ−ＥＮＢ５２０に伝送され、Ｔ−ＥＮＢ５２０が、その信号をＬＴＥ−ＭＭＥ５４０に転送する（６２２）。ＬＴＥ−ＭＭＥ５４０が、ＰＳアタッチ受付信号（６２３）をＴ−ＥＮＢ５２０を介してＬＴＥトランシーバに伝送し、ＬＴＥトランシーバが、Ｔ−ＥＮＢ５２０を介してＬＴＥ−ＭＭＥ５４０に転送されるＰＳアタッチ受付ＡＣＫ（６２４）で応答する。
【００２２】
ＭＭＥ−ＬＴＥが、新Ｅ−Ｎｏｄｅ  Ｂ  ＴＥＩＤでＰＤＰコンテキストを更新し（ステップ６２５）、更新ＰＤＰコンテキスト信号（６２６）をＬＴＥ  ＵＰＥ／ゲートウェイ／ＧＧＳＮ５６０に伝送する。さらに、ＧＰＲＳトンネリングプロトコルユーザプレーン（ＧＴＰ−Ｕ）を通じてユーザデータを伝送することができる。
【００２３】
ＨＯ完了信号（６２７）が、ＬＴＥ−ＭＭＥ５４０からサービング２Ｇ  ＳＧＳＮ５５０に送信され、このサービング２Ｇ  ＳＧＳＮ５５０が、解放信号（６２８）をＳ−ＢＳＣ５３０に、かつＨＯ完了ＡＣＫ（６２９）をＬＴＥ−ＭＭＥ５４０に送信する。トラフィックが、ＬＴＥ  ＵＰＥ／ゲートウェイ／ＧＧＳＮ５６０によりＳＧＳＮからＥ−Ｎｏｄｅ  Ｂに切り替えられ（ステップ６３０）、Ｓ−ＢＳＣ５３０が、Ｅ−Ｎｏｄｅ  Ｂ  ＢＳＳトンネルを解放し、データの転送を停止する（ステップ６３１）。解放ＡＣＫ（６３２）が、Ｓ−ＢＳＣ５３０からサービング２Ｇ  ＳＧＳＮ５５０に伝送され、ユーザＤＬ／ＵＬデータおよび制御データが、ＬＴＥトランシーバ、Ｔ−ＥＮＢ５２０、およびＬＴＥ  ＵＰＥ／ゲートウェイ／ＧＧＳＮ５６０間を進む。
【００２４】
図７Ａないし７Ｃは、代替ハンドオフ手順７００の信号図の一例を示す。図７Ａないし７Ｃに示すように、ダウンリンク（ユーザＤＬ）／アップリンク（ＵＬ）トラフィックが、各エンティティとデュアルモードＷＴＲＵ５１０のＧＥＲＡＮモードとの間に生じている。ステップ７０１で、ＷＴＲＵ５１０において測定が行われる。次いで、ＷＴＲＵ５１０が、測定報告（ＬＴＥ）信号（７０２）を、Ｓ−ＢＳＣ５３０に伝送する。ＬＴＥを移動先としている状態で、システム間ＨＯが開始される（ステップ７０３）。移動元セルＩＤおよび移動先セルＩＤを含むリロケーション要求信号７０４が、Ｓ−ＢＳＣ５３０からサービング２Ｇ  ＳＧＳＮ５５０に伝送される。このサービング２Ｇ  ＳＧＳＮが、移動先システムＩＤおよびＭＭＥ  ＩＤを特定し（ステップ７０５）、リロケーション要求をＬＴＥ−ＭＭＥ５４０に転送する。
【００２５】
ＬＴＥ−ＭＭＥ５４０が、移動先ｅ−Ｎｏｄｅ  Ｂ  ＩＤを特定し、ユーザプロファイルおよびコンテキストを、それが信号メッセージ７０６に含まれていなかった場合に要求する（ステップ７０７）。ＬＴＥ−ＭＭＥ５４０が、セルＩＤ、ＭＭＥ  ＩＤ、ＧＧＳＮ  ＴＥＩＤ、および国際移動加入者識別番号／一時的移動加入者識別番号（ＩＭＳＩ／ＴＭＳＩ）を含むハンドオフ要求信号（７０８）をＴ−ＥＮＢ５２０に送信する。Ｔ−ＥＮＢ５２０が、チャネルの可用性を判定し、無線アクセスベアラ（ＲＡＢ）確立を開始する（ステップ７０９）。Ｔ−ＥＮＢ５２０が、（ＩＭＳＩ／ＴＭＳＩを含む）ハンドオフ要求ＡＣＫ信号（７１０）をＬＴＥ−ＭＭＥ５４０に伝送し、このＬＴＥ−ＭＭＥ５４０が、ＩＭＳＩおよびＴ−Ｅ  Ｎｏｄｅ  Ｂ  ＩＤを含むリロケーション応答信号７１１をサービング２Ｇ  ＳＧＳＮ５５０に伝送する。次いで、ＬＴＥ−ＭＭＥ５４０が、パケットデータプロトコル（ＰＤＰ）コンテキスト情報の活性化に備えるためにＭＭ状態およびＳＭ状態を作り出す（ステップ７１２）。
【００２６】
サービング２Ｇ  ＳＧＳＮ５５０が、ＴＭＳＩおよびＥ−Ｎｏｄｅ  Ｂ  ＩＤを含むリロケーション命令信号（７１３）をＳ−ＢＳＣ５３０に伝送し、そのＳ−ＢＳＣ５３０が、データを転送するためのＥ−Ｎｏｄｅ  Ｂへの一時トンネルを確立する（ステップ７１４）。次いで、ユーザデータがＴ−ＥＮＢ５２０とＳ−ＢＳＣ５３０との間で転送され、ＨＯ命令７１５がＴ−ＥＮＢ５２０からＷＴＲＵ５１０のＧＥＲＡＮトランシーバに伝送され、このＷＴＲＵ  ＧＥＲＡＮトランシーバが、移動先チャネルＩＤを含む開始／同期無線信号（７１６）をＬＴＥトランシーバに伝送する。ＡＣＫ（７１７）がＬＴＥトランシーバから送信され、ＨＯ完了メッセージ（７１８）がＧＥＲＡＮトランシーバからＳ−ＢＳＣ５３０に送信され、Ｓ−ＢＳＣ５３０がＨＯ完了信号（７１９）をＴ−ＥＮＢ５２０に転送する。ＲＡＮおよびＲＡＢ確立が、ＬＴＥトランシーバとＴ−ＥＮＢ５２０との間で行われ、Ｔ−ＥＮＢ５２０がリロケーション検出メッセージ（７２０）をＬＴＥ−ＭＭＥ５４０に伝送する。
【００２７】
ユーザＤＬ／ＵＬトラフィックが、ＬＴＥトランシーバとＴ−ＥＮＢ５２０との間に生じる。ＭＭＥ−ＬＴＥが、新Ｅ−Ｎｏｄｅ  Ｂ  ＴＥＩＤでＰＤＰコンテキストを更新する（ステップ７２１）。
【００２８】
ＨＯ完了信号（７２２）が、ＬＴＥ−ＭＭＥ５４０からサービング２Ｇ  ＳＧＳＮ５５０に送信され、このサービング２Ｇ  ＳＧＳＮ５５０が、解放信号（７２３）をＳ−ＢＳＣ５３０に、かつＨＯ完了ＡＣＫ（７２４）をＬＴＥ−ＭＭＥ５４０に送信する。トラフィックが、ＬＴＥ  ＵＰＥ／ゲートウェイ／ＧＧＳＮ５６０によりＳＧＳＮからＥ−Ｎｏｄｅ  Ｂに切り替えられ（ステップ７２５）、Ｓ−ＢＳＣ５３０が、Ｅ−Ｎｏｄｅ  Ｂ  ＢＳＳトンネルを解放し、データの転送を停止する（ステップ７２６）。解放ＡＣＫ（７２７）が、Ｓ−ＢＳＣ５３０からサービング２Ｇ  ＳＧＳＮ５５０に伝送され、ユーザＤＬ／ＵＬデータおよび制御データが、ＬＴＥトランシーバ、Ｔ−ＥＮＢ５２０、およびＬＴＥ  ＵＰＥ／ゲートウェイ／ＧＧＳＮ５６０間を進む。
【００２９】
図１ないし７Ｃで先に説明したように、ＷＴＲＵ５１０が、移動元３ＧＰＰアクセスシステムにより移動先３ＧＰＰアクセスシステムに変更するように命令される前に、移動先３ＧＰＰアクセスシステムで無線リソースが準備される。コアネットワークリソースが割り当てられる間にデータを転送するために、２つの無線アクセスネットワーク(ＲＡＮ）（基本サービスセット（ＢＳＳ：ｂａｓｉｃ  ｓｅｒｖｉｃｅ  ｓｅｔ）およびＥ−Ｎｏｄｅ  Ｂ）間にトンネルが確立される。
【００３０】
モバイルのモビリティコンテキストおよびセッションコンテキストを交換するために、２Ｇ／３Ｇ  ＳＧＳＮと、対応するＭＭＥとの間にコアレベルで制御インタフェースがあってよい。加えて、移動先システムは、無線リソース構成、移動先セルシステム情報、等、などの無線アクセス要件に関する指示をＷＴＲＵ５１０に与えることができる。
【００３１】
ハンドオフ中には、ユーザデータが失われることを（例えば転送により）避けるために、Ｕ−プレーンが移動先システムに直接切り替えられる前に、ＤＬＵ−プレーンデータが移動元システムから移動先システムに送信される中間状態がある。３ＧＰＰアンカが、ＤＬ  Ｕ−プレーンデータを直接移動先システムに送信できると判定するまで、バイキャストを使用することもできる。
【００３２】
諸特徴および要素を上記に特定の組合せにより説明したが、各特徴または要素を、他の特徴および要素なしに単独で、または他の特徴および要素を伴うもしくは伴わない様々な組合せで使用することができる。本発明で提供する方法または流れ図は、汎用コンピュータまたはプロセッサによって実行するためにコンピュータ可読記憶媒体中に実施されるコンピュータプログラム、ソフトウェアまたはファームウェアで実施することができる。コンピュータ可読記憶媒体の例には、読出し専用メモリ（ＲＯＭ）、ランダムアクセスメモリ（ＲＡＭ）、レジスタ、キャッシュメモリ、半導体記憶装置、内蔵ハードディスクやリムーバブルディスクなどの磁気媒体、光磁気媒体、およびＣＤ−ＲＯＭディスクやデジタル多機能ディスク（ＤＶＤ）などの光学媒体が含まれる。
【００３３】
適切なプロセッサには、例えば汎用プロセッサ、専用プロセッサ、従来型プロセッサ、ＤＳＰ（デジタル信号プロセッサ）、複数のマイクロプロセッサ、ＤＳＰコアに関連する１個または複数個のマイクロプロセッサ、コントローラ、マイクロコントローラ、特定用途向けＩＣ（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔｓ）、書替え可能ゲートアレイ（ＦＰＧＡ：Ｆｉｅｌｄ  Ｐｒｏｇｒａｍｍａｂｌｅ  Ｇａｔｅ  Ａｒｒａｙ）回路、他の任意のタイプの集積回路（ＩＣ）および／または状態機械が含まれる。
【００３４】
ソフトウェアに関連するプロセッサを、無線送受信ユニット（ＷＴＲＵ）、ユーザ機器（ＵＥ）、ターミナル、基地局、無線ネットワークコントローラ（ＲＮＣ）または任意のホストコンピュータで使用する無線周波数トランシーバを実装するために使用することができる。ＷＴＲＵは、カメラ、ビデオカメラモジュール、テレビ電話、スピーカホン、振動装置、スピーカ、マイクロホン、テレビトランシーバ、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）ディスプレイユニット、有機発光ダイオード（ＯＬＥＤ）ディスプレイユニット、デジタル音楽プレイヤ、メディアプレイヤ、ビデオゲーム機モジュール、インターネットブラウザ、および／または任意の無線ＬＡＮ（ＷＬＡＮ）もしくは超広帯域（ＵＷＢ）モジュールなど、ハードウェアおよび／またはソフトウェアによって実装されるモジュールと組み合わせて使用することができる。
【００３５】
実施形態
１．汎用パケット無線サービス（ＧＰＲＳ）、モバイルコミュニケーション無線アクセスネットワーク用グローバルシステム（ＧＥＲＡＮ）、およびロングタームエボリューション（ＬＴＥ）発展型ユニバーサル陸上無線アクセスネットワーク（ＥＵＴＲＡＮ）からのハンドオフ（ＨＯ）をサポートする方法。
２．ＬＴＥ測定報告を受信するステップをさらに含む実施形態１記載の方法。
３．ＬＴＥネットワークへのハンドオフ（ＨＯ）を開始するステップをさらに含む実施形態１または２記載の方法。
４．リロケーション要求信号を伝送するステップをさらに含む実施形態１ないし３のいずれかに記載の方法。
５．発展型ノードＢ（ｅＮＢ）識別子（ＩＤ）を含むリロケーション命令信号を受信するステップをさらに含む実施形態１ないし４のいずれかに記載の方法。
６．発展型ノードＢ（ｅＮＢ）識別子（ＩＤ）によって識別された発展型ノードＢ（ｅＮＢ）へのトンネルを確立するステップをさらに含む実施形態１ないし５のいずれかに記載の方法。
７．確立されたトンネルを介してユーザデータを転送するステップをさらに含む実施形態１ないし６のいずれかに記載の方法。
８．ハンドオフ（ＨＯ）命令を無線送受信ユニット（ＷＴＲＵ）に伝送するステップをさらに含む実施形態１ないし７のいずれかに記載の方法。
９．ハンドオフ（ＨＯ）完了信号を無線送受信ユニット（ＷＴＲＵ）から受信するステップをさらに含む実施形態１ないし８のいずれかに記載の方法。
１０．解放確認応答（ＡＣＫ）信号を伝送するステップをさらに含む実施形態１ないし９のいずれかに記載の方法。
１１．リロケーション要求信号を受信するステップをさらに含む実施形態１ないし１０のいずれかに記載の方法。
１２．移動先発展型ノードＢ（ｅＮＢ）識別子（ＩＤ）を特定するステップをさらに含む実施形態１ないし１１のいずれかに記載の方法。
１３．ハンドオフ（ＨＯ）要求信号を移動先発展型ノードＢ（ｅＮＢ）に伝送するステップをさらに含む実施形態１ないし１２のいずれかに記載の方法。
１４．ハンドオフ（ＨＯ）要求ＡＣＫ（確認応答）を移動先ｅＮＢから受信するステップをさらに含む実施形態１ないし１３のいずれかに記載の方法。
１５．ＭＭ（モビリティ管理）状態を作り出すステップをさらに含む実施形態１ないし１４のいずれかに記載の方法。
１６．リロケーション検出信号を移動先発展型ノードＢ（ｅＮＢ）から受信するステップをさらに含む実施形態１ないし１５のいずれかに記載の方法。
１７．ＰＳアタッチ信号を前述の移動先発展型ノードＢ（ｅＮＢ）から受信するステップをさらに含む実施形態１ないし１６のいずれかに記載の方法。
１８．ＰＤＰ（パケットデータプロトコル）コンテキストを前述の移動先発展型ノードＢ（ｅＮＢ）識別子（ＩＤ）で更新するステップをさらに含む実施形態１ないし１７のいずれかに記載の方法。
１９．ハンドオフ（ＨＯ）完了信号をサービングＧＰＲＳサポートノード（ＳＧＳＮ）に伝送するステップをさらに含む実施形態１ないし１８のいずれかに記載の方法。
２０．ハンドオフ（ＨＯ）完了ＡＣＫをサービングＧＰＲＳサポートノード（ＳＧＳＮ）から受信するステップをさらに含む実施形態１ないし１９のいずれかに記載の方法。
２１．実施形態１ないし２０のいずれかに記載の方法を実行するように構成される基地局コントローラ。
２２．受信機をさらに備える実施形態２１に記載の基地局コントローラ。
２３．前述の受信機および送信機と通信するプロセッサをさらに備える実施形態２１ないし２２のいずれかに記載の基地局コントローラ。
２４．プロセッサは、ＧＥＲＡＮネットワークからＬＴＥネットワークへのハンドオフ（ＨＯ）を開始するように構成される実施形態２１ないし２３のいずれかに記載の基地局コントローラ。
２５．プロセッサは、リロケーション要求を伝送するようにさらに構成される実施形態２１ないし２４のいずれかに記載の基地局コントローラ。
２６．プロセッサは、発展型ノードＢ（ｅＮＢ）識別子（ＩＤ）を含むリロケーション命令を受信するようにさらに構成される実施形態２１ないし２５のいずれかに記載の基地局コントローラ。
２７．プロセッサは、移動先発展型ノードＢ（ｅＮＢ）とのトンネルを確立し、前述のトンネルを介して前述の移動先発展型ノードＢ（ｅＮＢ）にユーザデータを転送するようにさらに構成される実施形態２１ないし２６のいずれかに記載の基地局コントローラ。
２８．プロセッサは、ハンドオフ（ＨＯ）命令を無線送受信ユニット（ＷＴＲＵ）に伝送するようにさらに構成される実施形態２１ないし２７のいずれかに記載の基地局コントローラ。
２９．プロセッサは、ハンドオフ（ＨＯ）完了信号を無線送受信ユニット（ＷＴＲＵ）から受信するようにさらに構成される実施形態２１ないし２８のいずれかに記載の基地局コントローラ。
３０．プロセッサは、解放確認応答信号を伝送するようにさらに構成される実施形態２
１ないし２９のいずれかに記載の基地局コントローラ。
３１．実施形態１ないし３０のいずれかに記載の方法を実行するように構成されるデュアルモード無線送受信ユニット（ＷＴＲＵ）。
３２．ＧＥＲＡＮトランシーバおよびＬＴＥトランシーバをさらに備える実施形態３１に記載のデュアルモード無線送受信ユニット（ＷＴＲＵ）。
３３．ＧＥＲＡＮトランシーバは、ＬＴＥネットワークに対する測定を行うように構成される実施形態３１ないし３２のいずれかに記載のデュアルモード無線送受信ユニット（ＷＴＲＵ）。
３４．ＧＥＲＡＮトランシーバは、ＬＴＥ測定報告信号をＢＳＣ（基地局コントローラ）に伝送するように構成される実施形態３１ないし３３のいずれかに記載のデュアルモード無線送受信ユニット（ＷＴＲＵ）。
３５．ＧＥＲＡＮトランシーバは、ＢＳＣからハンドオフ（ＨＯ）命令を受信するように構成される実施形態３１ないし３４のいずれかに記載のデュアルモード無線送受信ユニット（ＷＴＲＵ）。
３６．ＧＥＲＡＮトランシーバは、ＬＴＥトランシーバと無線を開始／同期させるように構成される実施形態３１ないし３５のいずれかに記載のデュアルモード無線送受信ユニット（ＷＴＲＵ）。
３７．ＬＴＥトランシーバは、ハンドオフ（ＨＯ）完了信号をＢＳＣに伝送し、移動先ｅＮＢ（発展型ノードＢ）とのユーザダウンリンク／アップリンクトラフィックを確立するように構成される実施形態３１ないし３６のいずれかに記載のデュアルモード無線送受信ユニット（ＷＴＲＵ）。
【図１】
2014161108.tif 000003
【図２】
2014161108.tif 000004
【図３】
2014161108.tif 000005
【図４】
2014161108.tif 000006
【図５】
2014161108.tif 000007
【図６Ａ】
2014161108.tif 000008
【図６Ｂ】
2014161108.tif 000009
【図６Ｃ】
2014161108.tif 000010
【図７Ａ】
2014161108.tif 000011
【図７Ｂ】
2014161108.tif 000012
【図７Ｃ】
2014161108.tif 000013